(57)【要約】【課題】コントラストが高く、高輝度であって映り込みのない画像を得ることができ、かつ製造が容易な反射スクリーン、反射投影システム、及び、反射スクリーンの製造方法を提供する。【解決手段】基材シート１１の前面側に断面形状が略直角三角形の単位形状１２を形成する。そして単位形状１２が形成された前面側の全面に反射層１３をスプレー塗装により形成する。さらに、塗装により形成された反射層１３の全面に光吸収層１４をスプレー塗装により形成する。最後に、単位形状１２の前面側先端部分のみ、光吸収層１４を除去して、反射領域１３ａとする。【選択図】図１
2006330145.tif 000002
【特許請求の範囲】
【請求項１】
光を選択的に反射する選択反射部を備え、映像光を反射させて観察可能にする反射スクリーンであって、
前記選択反射部は、スクリーンの前面側に凸状に多数並べて形成された単位形状と、
前記単位形状の表面全面に形成された反射層と、
前記反射層の表面上を部分的に覆う光吸収層と、
を有し、
前記反射層の前記光吸収層により覆われていない領域が映像光を反射する反射領域であり、
前記反射領域は、投影機から投影される映像光が前記単位形状の頭頂部に遮られずに到達する照射範囲を少なくとも含むこと、
を特徴とする反射スクリーン。
【請求項２】
請求項１に記載の反射スクリーンにおいて、
前記反射層の層厚は、５〜３０μｍであること、
を特徴とする反射スクリーン。
【請求項３】
光を選択的に反射する選択反射部を備え、映像光を反射させて観察可能にする反射スクリーンであって、
前記選択反射部は、光反射剤を含みスクリーンの前面側に凸状に多数並べて形成された単位形状と、
前記単位形状の表面上に部分的に形成された光吸収層と、
を有し、
前記単位形状の前記光吸収層により覆われていない領域が映像光を反射する反射領域であること、
を特徴とする反射スクリーン。
【請求項４】
請求項３に記載の反射スクリーンにおいて、
前記反射領域は、投影機から投影される映像光が前記単位形状の頭頂部に遮られずに到達する照射範囲を少なくとも含むこと、
を特徴とする反射スクリーン。
【請求項５】
請求項１から請求項４までのいずれか１項に記載の反射スクリーンにおいて、
前記光吸収層の層厚は、５〜３０μｍであること、
を特徴とする反射スクリーン。
【請求項６】
請求項１から請求項５までのいずれか１項に記載の反射スクリーンにおいて、
前記反射領域は、前記単位形状の同じ側に配置されていること、
を特徴とする反射スクリーン。
【請求項７】
請求項１から請求項６までのいずれか１項に記載の反射スクリーンにおいて、
前記反射領域は、スクリーンの使用状態において前記単位形状の下側となる部分に形成されていること、
を特徴とする反射スクリーン。
【請求項８】
請求項７に記載の反射スクリーンにおいて、
スクリーンの使用状態における垂直方向の断面において、前記単位形状は略三角形形状であること、
を特徴とする反射スクリーン。
【請求項９】
請求項７に記載の反射スクリーンにおいて、
前記反射領域は、曲面部分又は複数の平面を有していること、
を特徴とする反射スクリーン。
【請求項１０】
請求項１から請求項９までのいずれか１項に記載の反射スクリーンにおいて、
前記反射領域は、光を拡散反射すること、
を特徴とする反射スクリーン。
【請求項１１】
請求項１０に記載の反射スクリーンにおいて、
前記反射領域には、映像光を拡散反射させる作用を有した微細凹凸形状が形成されており、
前記微細凹凸形状は、スクリーン中心付近からスクリーン端部付近に近づくにしたがい映像光を拡散する作用が大きくなること、
を特徴とする反射スクリーン。
【請求項１２】
請求項１から請求項１１までのいずれか１項に記載の反射スクリーンにおいて、
前記選択反射部は、同一断面形状で一方向に延在する前記単位形状を一次元方向に多数並べて配列した形状、又は、前記単位形状を二次元方向に多数並べた配列した形状であること、
を特徴とする反射スクリーン。
【請求項１３】
請求項１から請求項１２までのいずれか１項に記載の反射スクリーンにおいて、
前記単位形状は、スクリーン面上に直線状、又は、円弧状に配列されていること、
を特徴とする反射スクリーン。
【請求項１４】
請求項１から請求項１３までのいずれか１項に記載の反射スクリーンにおいて、
前記単位形状は、スクリーン面上に円弧状に配列されており、
前記単位形状の配列が描く円弧の中心側に投影機を配置して使用されること、
を特徴とする反射スクリーン。
【請求項１５】
請求項１から請求項１４までのいずれか１項に記載の反射スクリーンにおいて、
前記反射層及び前記光吸収層のさらに前面側に、保護層を有すること、
を特徴とする反射スクリーン。
【請求項１６】
請求項１５に記載の反射スクリーンにおいて、
前記保護層は、樹脂により前記単位形状に沿って形成されていること、
を特徴とする反射スクリーン。
【請求項１７】
請求項１５又は請求項１６に記載の反射スクリーンにおいて、
前記保護層は、光拡散作用を有していること、
を特徴とする反射スクリーン。
【請求項１８】
請求項１５から請求項１７までのいずれか１項に記載の反射スクリーンにおいて、
前記保護層には、反射防止処理、防眩処理、表面硬化処理、着色処理、帯電防止処理、防汚処理の少なくともひとつが施されていること、
を特徴とする反射スクリーン。
【請求項１９】
請求項１から請求項１８までのいずれか１項に記載の反射スクリーンにおいて、
非使用時に巻き上げて収納する巻き上げ機構を備えること、
を特徴とする反射スクリーン。
【請求項２０】
請求項１から請求項１９までのいずれか１項に記載の反射スクリーンと、
前記反射スクリーンの中央に対する入射角度が４０度以上となる位置から前記反射スクリーンに対して映像光を投影する投影機と、
を備えた反射投影システム。
【請求項２１】
請求項１から請求項１９までのいずれか１項に記載の反射スクリーンの製造方法であって、
前記単位形状を形成する単位形状形成工程と、
前記単位形状形成工程により形成された前記単位形状の表面全面に反射層を形成する反射層形成工程と、
前記反射層形成工程により形成された前記反射層の表面全面に前記光吸収層を形成する光吸収層形成工程と、
必要な領域に対して前記光吸収層を除去して前記反射層の一部を露出させることにより前記反射領域を形成する反射領域露出工程と、
を備える反射スクリーンの製造方法。
【請求項２２】
請求項３から請求項１９までのいずれか１項に記載の反射スクリーンの製造方法であって、
光反射剤を含む材料により前記単位形状を形成する単位形状形成工程と、
前記単位形状形成工程により形成された前記単位形状の表面全面に前記光吸収層を形成する光吸収層形成工程と、
必要な領域に対して前記光吸収層を除去して前記単位形状の一部を露出させることにより前記反射領域を形成する反射領域露出工程と、
を備える反射スクリーンの製造方法。
【発明の詳細な説明】
【技術分野】
【０００１】
本発明は、前方からの映像光を反射面により反射させて観察する反射スクリーン、反射投影システム、及び、反射スクリーンの製造方法に関するものである。
【背景技術】
【０００２】
従来、この種の反射スクリーンは、透明シートの前面側に光透過拡散層、背面側に光反射用のリニアフレネルレンズ面が設けられたものが知られていた（例えば、特許文献１）。また、特許文献２には、外光によるコントラストの低下を抑え、好適な視野角を得ることを可能にする反射スクリーンの構成が開示されている。さらに、特許文献３には、レンチキュラーレンズと反射部を設けた裏面の直交方向に配列されたリニアフレネルレンズの組み合わせによる反射スクリーンについて記載されている。
【０００３】
しかし、よりコントラストの高い画像を得たいという要求、及び、投影側光源の光量が少ない場合であっても、できる限り高輝度な画像を得たいという要求があった。また、高輝度な画像を得られた場合であっても、不要な映り込みを排除することは、常に要求されることである。
さらに、上述した従来の反射スクリーンでは、その製造工程が複雑になり、結果として製造コストが高くなるという問題があった。
【０００４】
ところで、主にリアプロジェクションテレビ用にその奥行き方向をより薄くするために極端な斜め方向から映像を投射してスクリーンに投影する投影機が開発され、発売されている。この投影機の技術を応用して、極端に斜め前方向から反射スクリーンに映像を投射するフロントプロジェクタとして利用することが考えられ、この場合、設置スペースを小さくすることが可能となる。
【０００５】
しかし、通常よりも遥かに斜め方向から映像を投影するため、反射スクリーンで反射した光は、反射スクリーン面に対する入射角度が大きいことから、大きな反射角度で出射してしまう。したがって、スクリーン面の法線方向付近へは、映像光が殆ど届かなくなってしまう。反射スクリーンは、スクリーン面の法線方向付近から観察される場合が多く、環境光の映り込みと相まって極端にコントラストを低下させてしまうという問題があった。
ここで、スクリーン面とは、スクリーン全体として見たときにおけるスクリーンの平面方向となる面を示すものであり、以下の説明中、及び、特許請求の範囲においても同一の定義として用いている。
【０００６】
また、特許文献４には、斜め前方から投射した光を反射させて観察する反射スクリーンに関し、断面が鋸歯状の山部を有し、この山部の一方の斜面に反射面を形成し、もう一方の斜面に光吸収面を形成した反射スクリーンが開示されている。特許文献４に記載の技術によると、スクリーン面の正面から観察すれば、比較的良好な画像を得ることができる。
この特許文献４では、アルミニウムを蒸着したり、スプレーで塗布したりして反射面を形成し、光吸収面は、黒色のインキをグラビアオフセット印刷法で塗布して形成している。
しかし、このような反射面及び光吸収面の形成方法では、黒色のインキが反射面に回りこんでしまうという問題があった。
また、山部と山部との間の谷部分に光吸収部を設けることが困難であるという問題もあった。
さらに、特許文献４のようにスプレー塗布により反射面を形成する手法では、十分な反射率を得る為に何度もスプレー塗装を重ね塗りして反射率を稼がねばならず、プロセスの量産性に問題がある。その上、重ね塗りしていくに従い、所望の反射層を形成したい領域以外の、光吸収層部にもスプレーが回り込み、本来光吸収層として機能しなくてはならない領域の反射率が上がっていってしまうという問題があった。
したがって、反射面と光吸収面との作り分けをすることが非常に困難であった。
【特許文献１】特開平８−２９８７５号公報
【特許文献２】特開平１０−６２８７０号公報
【特許文献３】特開２００２−３１１５０７号公報
【特許文献４】特開平２−２６２１３４号公報
【発明の開示】
【発明が解決しようとする課題】
【０００７】
本発明の課題は、コントラストが高く、高輝度であって映り込みのない画像を得ることができ、かつ製造が容易な反射スクリーン、反射投影システム、及び、反射スクリーンの製造方法を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、光を選択的に反射する選択反射部を備え、映像光を反射させて観察可能にする反射スクリーンであって、前記選択反射部は、スクリーンの前面側に凸状に多数並べて形成された単位形状（１２，３２）と、前記単位形状の表面全面に形成された反射層（１３）と、前記反射層の表面上を部分的に覆う光吸収層（１４）と、を有し、前記反射層の前記光吸収層により覆われていない領域が映像光を反射する反射領域（１３ａ）であり、前記反射領域は、投影機から投影される映像光が前記単位形状の頭頂部に遮られずに到達する照射範囲を少なくとも含むこと、を特徴とする反射スクリーン（１０，３０）である。
請求項２の発明は、請求項１に記載の反射スクリーンにおいて、前記反射層（１３）の層厚は、５〜３０μｍであること、を特徴とする反射スクリーン（１０，３０）である。
【０００９】
請求項３の発明は、光を選択的に反射する選択反射部を備え、映像光を反射させて観察可能にする反射スクリーンであって、前記選択反射部は、光反射剤を含みスクリーンの前面側に凸状に多数並べて形成された単位形状（２２）と、前記単位形状の表面上に部分的に形成された光吸収層（２４）と、を有し、前記単位形状の前記光吸収層により覆われていない領域が映像光を反射する反射領域（２２ａ）であること、を特徴とする反射スクリーン（２０）である。
請求項４の発明は、請求項３に記載の反射スクリーンにおいて、前記反射領域（２２ａ）は、投影機から投影される映像光が前記単位形状の頭頂部に遮られずに到達する照射範囲を少なくとも含むこと、を特徴とする反射スクリーン（２０）である。
【００１０】
請求項５の発明は、請求項１から請求項４までのいずれか１項に記載の反射スクリーンにおいて、前記光吸収層（１４，２４）の層厚は、５〜３０μｍであること、を特徴とする反射スクリーン（１０，２０，３０）である。
請求項６の発明は、請求項１から請求項５までのいずれか１項に記載の反射スクリーンにおいて、前記反射領域（１３ａ，２２ａ）は、前記単位形状（１２，２２，３２）の同じ側に配置されていること、を特徴とする反射スクリーン（１０，２０，３０）である。
請求項７の発明は、請求項１から請求項６までのいずれか１項に記載の反射スクリーンにおいて、前記反射領域（１３ａ，２２ａ）は、スクリーンの使用状態において前記単位形状（１２，２２，３２）の下側となる部分に形成されていること、を特徴とする反射スクリーン（１０，２０，３０）である。
請求項８の発明は、請求項７に記載の反射スクリーンにおいて、スクリーンの使用状態における垂直方向の断面において、前記単位形状（１２，２２，３２）は略三角形形状であること、を特徴とする反射スクリーン（１０，２０，３０）である。
請求項９の発明は、請求項７に記載の反射スクリーンにおいて、前記反射領域は、曲面部分又は複数の平面を有していること、を特徴とする反射スクリーンである。
請求項１０の発明は、請求項１から請求項９までのいずれか１項に記載の反射スクリーンにおいて、前記反射領域は、光を拡散反射すること、を特徴とする反射スクリーンである。
請求項１１の発明は、請求項１０に記載の反射スクリーンにおいて、前記反射領域には、映像光を拡散反射させる作用を有した微細凹凸形状が形成されており、前記微細凹凸形状は、スクリーン中心付近からスクリーン端部付近に近づくにしたがい映像光を拡散する作用が大きくなること、を特徴とする反射スクリーンである。
請求項１２の発明は、請求項１から請求項１１までのいずれか１項に記載の反射スクリーンにおいて、前記選択反射部は、同一断面形状で一方向に延在する前記単位形状（１２，２２，３２）を一次元方向に多数並べて配列した形状、又は、前記単位形状を二次元方向に多数並べた配列した形状であること、を特徴とする反射スクリーン（１０，２０，３０）である。
請求項１３の発明は、請求項１から請求項１２までのいずれか１項に記載の反射スクリーンにおいて、前記単位形状（１２，２２，３２）は、スクリーン面上に直線状、又は、円弧状に配列されていること、を特徴とする反射スクリーン（１０，２０，３０）である。
請求項１４の発明は、請求項１から請求項１３までのいずれか１項に記載の反射スクリーンにおいて、前記単位形状は、スクリーン面上に円弧状に配列されており、前記単位形状の配列が描く円弧の中心側に投影機を配置して使用されること、を特徴とする反射スクリーンである。
請求項１５の発明は、請求項１から請求項１４までのいずれか１項に記載の反射スクリーンにおいて、前記反射層及び前記光吸収層のさらに前面側に、保護層を有すること、を特徴とする反射スクリーンである。
請求項１６の発明は、請求項１５に記載の反射スクリーンにおいて、前記保護層は、樹脂により前記単位形状に沿って形成されていること、を特徴とする反射スクリーンである。
請求項１７の発明は、請求項１５又は請求項１６に記載の反射スクリーンにおいて、前記保護層は、光拡散作用を有していること、を特徴とする反射スクリーンである。
請求項１８の発明は、請求項１５から請求項１７までのいずれか１項に記載の反射スクリーンにおいて、前記保護層には、反射防止処理、防眩処理、表面硬化処理、着色処理、帯電防止処理、防汚処理の少なくともひとつが施されていること、を特徴とする反射スクリーンである。
請求項１９の発明は、請求項１から請求項１８までのいずれか１項に記載の反射スクリーンにおいて、非使用時に巻き上げて収納する巻き上げ機構を備えること、を特徴とする反射スクリーンである。
【００１１】
請求項２０の発明は、請求項１から請求項１９までのいずれか１項に記載の反射スクリーンと、前記反射スクリーンの中央に対する入射角度が４０度以上となる位置から前記反射スクリーンに対して映像光を投影する投影機と、を備えた反射投影システムである。
【００１２】
請求項２１の発明は、請求項１から請求項１９までのいずれか１項に記載の反射スクリーンの製造方法であって、前記単位形状（１２，３２）を形成する単位形状形成工程と、前記単位形状形成工程により形成された前記単位形状の表面全面に反射層（１３）を形成する反射層形成工程と、前記反射層形成工程により形成された前記反射層の表面全面に前記光吸収層（１４）を形成する光吸収層形成工程と、必要な領域に対して前記光吸収層を除去して前記反射層の一部を露出させることにより前記反射領域（１３ａ）を形成する反射領域露出工程と、を備える反射スクリーン（１０，３０）の製造方法である。
請求項２２の発明は、請求項３から請求項１９までのいずれか１項に記載の反射スクリーンの製造方法であって、光反射剤を含む材料により前記単位形状（２２）を形成する単位形状形成工程と、前記単位形状形成工程により形成された前記単位形状の表面全面に前記光吸収層（２４）を形成する光吸収層形成工程と、必要な領域に対して前記光吸収層を除去して前記単位形状の一部を露出させることにより前記反射領域（２２ａ）を形成する反射領域露出工程と、を備える反射スクリーンの製造方法である。
【発明の効果】
【００１３】
本発明によれば、以下の効果を奏することができる。
（１）単位形状の表面全面に形成された反射層と、反射層の表面上を部分的に覆う光吸収層とを有し、反射層の光吸収層により覆われていない領域が映像光を反射する反射領域であり、反射領域は、投影機から投影される映像光が単位形状の頭頂部に遮られずに到達する照射範囲を少なくとも含むので、映像光については高い反射率を有し、外光については十分な吸収作用をもつ反射スクリーンを容易に製造することができる。
【００１４】
（２）反射層の層厚は、５〜３０μｍであるので、映像光を透過することなく確実に反射することができる。
【００１５】
（３）単位形状の表面上に部分的に形成された光吸収層を有し、単位形状の光吸収層により覆われていない領域が映像光を反射する反射領域であるので、反射スクリーンの製造をさらに容易にすることができる。
【００１６】
（４）反射領域は、投影機から投影される映像光が単位形状の頭頂部に遮られずに到達する照射範囲を少なくとも含むので、映像光の届かない谷底部分まで光吸収層を除去する必要がなく、反射スクリーンの製造を容易にすることができる。
【００１７】
（５）光吸収層の層厚は、５〜３０μｍであるので、不要な外光を透過することなく確実に吸収することができる。
【００１８】
（６）反射領域は、単位形状の同じ側に配置されているので、外光とは反対側の方向から投射される映像光を効率よく反射することができる。
【００１９】
（７）反射領域は、スクリーンの使用状態において単位形状の下側となる部分に形成されているので、照明などの外光が上方から入射して下方から映像光を投射する場合に、映像光を確実に反射しながら、外光を効果的に吸収することができる。
【００２０】
（８）スクリーンの使用状態における垂直方向の断面において、単位形状は略三角形形状であるので、製造が容易な形状であっても、光の反射光率が高く、外光の吸収効果も高くすることができる。
【００２１】
（９）反射領域は、曲面部分又は複数の平面を有しているので、映像光の反射方向の制御を行うことができる。
【００２２】
（１０）反射領域は、光を拡散反射するので、視野角を広げることができる。
【００２３】
（１１）反射領域には、微細凹凸形状が形成されており、スクリーン中心付近からスクリーン端部付近に近づくにしたがい映像光を拡散する作用が大きくなるので、簡単な構成であっても反射光を適度に拡散することができ、かつ、スクリーンの正面中央付近で観察する場合に、スクリーン端部付近の拡散度合が高まることから、外方向へ反射してしまう成分の大きくなるスクリーン端部付近において反射する映像光を中央方向に導くことができる。
【００２４】
（１２）選択反射部は、同一断面形状で一方向に延在する単位形状を一次元方向に多数並べて配列した形状であるので、映像光を無駄なく反射することができる。
また、選択反射部は、単位形状を二次元方向に多数並べた配列した形状であるので、より多くの方向から来る外光を効果的に抑制することができる。
【００２５】
（１３）単位形状は、スクリーン面上に直線状、又は、円弧状に配列されているので、簡単で製造が容易な配列としながらも、映像光を効率よく反射させることができる。また、金型の製造を容易にすることができる。
【００２６】
（１４）単位形状の配列が描く円弧の中心側に投影機を配置して使用されるので、垂直方向及び水平方向の両方向に対して光を制御することができる。
【００２７】
（１５）反射層及び光吸収層のさらに前面側に、保護層を有するので、反射層及び光吸収層を傷などから保護することができ、耐久性を向上させることができる。特に、巻き上げ式とするような場合には、反射層及び光吸収層を擦られる可能性が高いことから有効である。
【００２８】
（１６）保護層は、樹脂により単位形状に沿って形成されているので、単位形状と保護層とが一体となり、より強固に反射層及び光吸収層を保護することができる。
【００２９】
（１７）保護層は、光拡散作用を有しているので、視野角を広げることができる。
【００３０】
（１８）保護層には、反射防止処理、防眩処理、表面硬化処理、着色処理、帯電防止処理、防汚処理の少なくともひとつが施されているので、別途これらの機能を有した層を設ける必要がない。また、スクリーンの視認性をさらに向上させるなど、上記処理を追加したことによる効果を得ることができる。
【００３１】
（１９）非使用時に巻き上げて収納する巻き上げ機構を備えるので、大画面に対応した大型のスクリーンであっても、小型に収納することができる。
【００３２】
（２０）反射スクリーンの中央に対する入射角度が４０度以上となる位置から反射スクリーンに対して映像光を投影する投影機を備えるので、狭い部屋であっても大型のスクリーンを有効に使用することができる。
【００３３】
（２１）単位形状形成工程と、反射層形成工程と、光吸収層形成工程と、反射領域露出工程と、を備えるので、反射スクリーンを簡単かつ精度よく製造することができる。
【００３４】
（２２）単位形状形成工程と、光吸収層形成工程と、反射領域露出工程と、を備えるので、反射スクリーンをさらに簡単に製造することができる。
【発明を実施するための最良の形態】
【００３５】
コントラストが高く、高輝度であって映り込みのない画像を得ることができる反射スクリーン及び反射投影システムを得るという目的を、反射スクリーンの前面側に凸状に形成した単位形状の表面全面に形成された反射層と、反射層の表面上を部分的に覆う光吸収層とを設けることにより製造が容易な形態で実現した。
【実施例１】
【００３６】
図１は、実施例１による反射スクリーン１０を拡大して示した断面図である。
図１は、反射スクリーン１０の使用状態における上方が図の上方になるように示しており、入射側（前面側、又は、観察者側）は、図１中の左側である。また、以下の説明において、反射スクリーン１０の使用状態を基準として上下を説明するものとする。
本実施例における反射スクリーン１０は、映像光を投影するプロジェクター光学エンジン部Ｐ（投影機）をスクリーンに対して下方に設置し、映像光を上方斜めに投射させる配置とし、環境光（外光Ｇ）の殆どがスクリーンの上方からスクリーンに入射することを考慮して開発されたスクリーンである。そして、下方からの映像光Ａは、効率よく観察者側へ反射し、上方からの不要な外光Ｇは、選択的に吸収させることで、非常にコントラストの高いフロントプロジェクタ用の反射スクリーンとしたものである。この反射スクリーン１０と、反射スクリーン１０の中央に対する入射角度が４０度以上となる位置から反射スクリーン１０に対して映像光を投影する投影機Ｐとにより反射投影システムが形成されている。
【００３７】
実施例１における反射スクリーン１０は、基材シート１１，単位形状１２，反射層１３，光吸収層１４を有している。
基材シート１１は、反射スクリーン１０のベースとなる部材であり、アクリル、ポリカーボネート、ポリエチレンテレフタレートなどの樹脂製のシート又はフィルムから形成される光透過性のある部分であり、本実施例では、アクリルを使用している。
単位形状１２は、基材シート１１の前面側に凸状に多数並べて形成された部分であり、本実施例では略直角二等辺三角形の断面形状をしており、この形状を保ったまま基材シート１１上で水平方向（図１の紙面奥行き方向）に直線状に延在している。
単位形状１２は、スクリーンとして使用するときに、映像光が斜辺に相当する部位に当たるように、斜辺が前面側下方となるように形成されている。
【００３８】
反射層１３は、単位形状１２の前面側の全面に層厚２０μｍで形成されている。反射層１３は、アクリル塗料であって塗装後の表面が白色マット状となり、その反射率は、全光線反射率としてＲｔ＝約７６％、拡散反射率Ｒｄ＝６５．８％である（Ｒｄ成分比≒８７％）。
光吸収層１４は、単位形状１２の前面側であって、反射層１３よりもさらに前面側に層厚２０μｍで形成されている。
ここで、反射層及び光吸収層の層厚は、いずれも５〜３０μｍであることが望ましい。この範囲よりも薄くなると光を透過してしまうおそれがあり、また、この範囲よりも厚くしようとすると、塗料が流れてしまったり、断面形状の頂点部分及び谷底部分の形状が単位形状の断面形状を反映しなくなったりするからである。
【００３９】
反射層１３の一部は、光吸収層１４が除去されて反射領域１３ａとなっている。この反射領域１３ａは、いずれも反射スクリーンを使用状態としたときに単位形状の同じ側、すなわちスクリーンの使用状態において下側となる面に形成されている。また、反射領域１３ａは、観察者側頂部付近、より具体的には、反射領域１３ａは、投影機Ｐから投影される映像光が単位形状１２の頭頂部に遮られずに到達する照射範囲を少なくとも含むように形成されている。
映像光を反射するという、反射スクリーン本来の目的から、反射領域１３ａは、少なくとも、スクリーンの使用状態における投影機Ｐから投射される投影像の光線が投射される領域に形成されている必要がある。ただし、むやみに反射領域１３ａを広げてしまうと、光吸収層１４が減ってしまうので、投影機Ｐから投影される映像光が単位形状１２の頭頂部に遮られずに到達する照射範囲を反射領域として確保しながらも、できるだけ反射領域を狭くすることが望ましい。
このようにすることにより、単位形状１２，反射領域１３ａ及び光吸収層１４からなる選択反射部が形成され、光を選択的に反射することができる。すなわち、投影機Ｐから映像が反射スクリーン１０の斜め下方向から投影されたときに、映像光を最もよく反射することができる。また、上方からの不要な外光は、反射面に当たることがなく、光吸収層１４に主に吸収させることができる。
【００４０】
次に、実施例１における反射スクリーン１０の製造方法について説明する。
図２は、反射スクリーン１０の製造工程を示す図である。
実施例１における反射スクリーン１０は、図２（ａ）の単位形状形成工程、図２（ｂ）の反射層形成工程、図２（ｃ）の光吸収層形成工程、図２（ｄ）の反射領域露出工程を行うことにより製造される。
（ａ）単位形状形成工程
単位形状１２は、電離放射線硬化性樹脂を基材シート１１上に塗布して型を当てつけた状態において電離放射線を照射して硬化させることにより形成した。この目的に使用する電離放射線硬化性樹脂は、紫外線、及び、電子線硬化性の樹脂、アクリレート、エポキシアクリレート、シリコンアクリレート、シロキサン等の多官能単量体を主成分とする光架橋型のものを用いるのがよい。ここで電離放射線とは、電磁波又は荷電粒子線のうち分子を重合、架橋し得るエネルギ量子を有するものを意味し、通常、紫外線、電子線が用いられる。
なお、単位形状の形成は、電離放射線硬化による形成ではなく、アクリル樹脂、ペット（ポリエチレンテレフタレート）樹脂などを用いた熱溶融押出し成型により行ってもよいし、注型成形により行ってもよい。
【００４１】
（ｂ）反射層形成工程
本実施例における反射層１３は、単位形状形成工程により形成された単位形状１２を有する側の全面にスプレー塗布して形成した。使用した塗料は、白色のアクリル塗料であり、塗料としての反射率は、全光線反射率としてＲｔ＝約７６％、拡散反射率Ｒｄ＝６５．８％であった（Ｒｄ成分比≒８７％）。実施例では、反射層１３の層厚が約２０μｍとなるように塗装した。この厚みに塗装することで、上記の反射率を得ることができる。
なお、塗料として白色マット状となるアクリル塗料以外にも、光沢の強いグロス白系の塗料、所謂メタリック色や銀色等の塗料、マイカ（雲母）やビーズを適宜混入させた塗料を使用してもよい。これらを適宜使い分けることでも観察領域や輝度、光源の映り込み防止効果等を制御することができる。
また、反射層１３の形成は、このスプレー塗装以外にもスクリーン印刷、グラビアリバースコート、蒸着（アルミニウム、銀、クロムなど、反射率の高い金属を用いることが望ましい）により行ってもよい。
【００４２】
（ｃ）光吸収層形成工程
反射層形成工程により形成した反射層１３上の全面に光吸収層１４として黒色マット塗料をさらにスプレー塗装した。この光吸収層１４の層厚も２０μｍとなるように制御して塗布した。この層厚とするにより下地の反射を十分に遮断することができる。
【００４３】
（ｄ）反射領域露出工程
光吸収層形成工程により光吸収層１４を形成した後に、反射領域１３ａとして機能させる領域のみ、光吸収層１４を剥離した。光吸収層１４の剥離には、研磨シートを使用し、光吸収層１４の一部を削り取った。この作業としては、研磨シートの他にサンドブラストや、スパッタ法等を使用し、いずれも所定の斜め方向からサンドなどを当てて削り取ってもよい。この反射領域露出工程を行うことにより、反射層１３の一部を露出させることができた。これにより映像光については高い反射率を有し、外光については十分な吸収作用をもつ反射スクリーン１０を容易に完成させることができた。
【実施例２】
【００４４】
図３は、実施例２による反射スクリーン２０を拡大して示した断面図である。なお、図３は、図１と同様にして示している。
実施例２における反射スクリーン２０は、実施例１における反射スクリーン１０の単位形状１２及び反射層１３の有する機能を単位形状２２のみで実現した形態である。したがって、前述した実施例１と同様の機能を果たす部分の説明は、重複する説明を適宜省略する。
実施例２における反射スクリーン２０は、基材シート２１，単位形状２２，光吸収層２４を有している。
基材シート２１は、実施例１における基材シート１１と同様なものである。
単位形状２２は、実施例１における単位形状１２と形状は同一であるが、その形成に使用する樹脂中に光反射剤を混入させたものにより形成されている。実施例２における単位形状２２は、光反射剤としてＢaＳＯ4 を紫外線硬化樹脂に重量比２０％混入させたものを使用して形成した。
【００４５】
次に、実施例２における反射スクリーン２０の製造方法について説明する。
図４は、反射スクリーン２０の製造工程を示す図である。
実施例２における反射スクリーン２０は、図４（ａ）の単位形状形成工程、図４（ｂ）の光吸収層形成工程、図４（ｃ）の反射領域露出工程を行うことにより製造される。
（ａ）単位形状形成工程
単位形状２２は、実施例１と同様に、電離放射線硬化性樹脂を基材シート２１上に塗布して型を当てつけた状態において電離放射線を照射して硬化させることにより形成した。ただし、実施例２では、電離放射線硬化性樹脂中に光反射剤を混入させたものを使用して単位形状２２を形成している。
【００４６】
（ｂ）光吸収層形成工程
単位形状形成工程により形成した単位形状２２を有する側の全面に光吸収層２４として黒色マット塗料をスプレー塗装した。この光吸収層２４の層厚は、２０μｍとなるように制御して塗布した。この層厚とするにより下地の反射を十分に遮断することができる。
【００４７】
（ｃ）反射領域露出工程
光吸収層形成工程により光吸収層２４を形成した後に、反射領域２２ａとして機能させる領域のみ、光吸収層１４を剥離した。剥離の手法は、実施例１と同様である。この反射領域露出工程を行うことにより、単位形状２２の一部を露出させることができた。単位形状２２は、光反射剤が混入されているので、露出した部分は、映像光を反射する反射領域２２ａとすることができる。これにより映像光については高い反射率を有し、外光については十分な吸収作用をもつ反射スクリーン２０を実施例１よりもさらに容易且つ安価に完成させることができた。
【実施例３】
【００４８】
図５は、実施例３による反射スクリーン３０を拡大して示した断面図である。なお、図５は、図１と同様にして示している。
実施例３における反射スクリーン３０は、実施例１における反射スクリーン１０の単位形状１２に光反射剤を混入した形態である。したがって、前述した実施例１と同様の機能を果たす部分には同一の符号を付して、重複する説明を適宜省略する。
実施例３における反射スクリーン３０は、基材シート１１，単位形状３２，反射層１３，光吸収層１４を有している。
単位形状３２は、実施例１における単位形状１２と形状は同一であるが、その形成に使用する樹脂中に光反射剤を混入させたものにより形成されている。実施例３における単位形状３２は、光反射剤としてＢaＳＯ4 を紫外線硬化樹脂に重量比２０％混入させたものを使用して形成した。
実施例３における反射スクリーン３０は、実施例１と同様な工程により製造することができるので、製造方法の説明は省略する。
実施例１の反射領域露出工程では、研磨しすぎた場合に反射層１３まで削れてしまうおそれがあり、この工程の管理が必要である。しかし、実施例３では、反射領域露出工程において反射層１３を削ってしまったとしても、その場合の反射率の低下を軽減させる効果を持つ。したがって、実施例３では、実施例１に比較して、さらに製造工程を簡単にすることができる。
【００４９】
（変形例）
以上説明した実施例に限定されることなく、種々の変形や変更が可能であって、それらも本発明の均等の範囲内である。
（１）各実施例において、単位形状は、略直角二等辺三角形の断面形状をしており、この形状を保ったまま基材シート１１上で水平方向に直線状に延在している例を示したが、これに限らず、例えば、単位レンズが基材シート上に同心円の円弧状に配列されていてもよい。この場合には、単位形状の配列が描く円弧の中心側に投影機を配置することにより、上下方向及び左右方向の反射光を容易に制御することができる。
【００５０】
（２）各実施例において、光吸収部及び反射領域が最表面となっている例を示したが、これに限らず、例えば、これらよりもさらに前面側に保護層を積層してもよい。この場合には、例えば、図６（ａ）に示すように別部材の保護層Ｈ１としてもよいし、図６（ｂ）に示すように樹脂を用いて単位形状に沿って保護層Ｈ２を形成してもよい。また、この保護層に光拡散作用を与えて視野角の制御を行ってもよいし、反射防止処理、防眩処理、表面硬化処理、着色処理、帯電防止処理、防汚処理の少なくともひとつをさらに設けてもよい。
【００５１】
（３）各実施例において、垂直（上下）方向の光軸を制御し、映像光の垂直方向の拡散を行なっている例を示したが、これに限らず、例えば、反射領域にマット形状（微細な凹凸形状）を付与して光を拡散反射させるようにしてもよい。このようにすることにより、水平方向の光軸も制御することができ、観察者側への反射角度分布をより最適化させることができる。
また、マット形状を付与する場合に、スクリーン中心付近からスクリーン端部付近に近づくにしたがい映像光を拡散する作用が大きくなるようにしてもよく、これにより反射光を適度に拡散することができ、かつ、スクリーンの正面中央付近で観察する場合に、スクリーン端部付近の拡散度合が高まることから、外方向へ反射してしまう成分の大きくなるスクリーン端部付近において反射する映像光を中央方向に導くことができる。
【００５２】
（４）各実施例において、単位形状が略直角三角形形状の断面形状をしており、反射領域は平面となっている例を示したが、これに限らず、例えば、図７（ａ）に示すように反射領域に対応する単位形状４２の形状を曲面としてもよいし、図７（ｂ）に示す単位形状５２のように複数の平面により形成してもよい。
【００５３】
（５）各実施例において、スクリーンを形成する材料を薄く、かつ、柔軟な素材として、非使用時には、スクリーンを巻き上げて収納する巻き上げ機構を備えるようにしてもよい。
【００５４】
（６）各実施例において、同一断面形状で一方向に延在する単位形状を一次元方向に多数並べて配列した例を示したが、これに限らず、例えば、単位形状を二次元方向に多数並べた配列したいわゆる蝿の目レンズ（レンズアレイ）に似た形態としてもよい。
【図面の簡単な説明】
【００５５】
【図１】実施例１による反射スクリーン１０を拡大して示した断面図である。
【図２】反射スクリーン１０の製造工程を示す図である。
【図３】実施例２による反射スクリーン２０を拡大して示した断面図である。
【図４】反射スクリーン２０の製造工程を示す図である。
【図５】実施例３による反射スクリーン３０を拡大して示した断面図である。
【図６】保護層を設けた変形例を示す図である。
【図７】単位形状の変形例を示す図である。
【符号の説明】
【００５６】
１０，２０，３０  反射スクリーン
１１，２１  基材シート
１２，２２，３２  単位形状
１３  反射層
１３ａ，２２ａ  反射領域
１４，２４  光吸収層
Ｐ  投影機
【図１】
2006330145.tif 000003
【図２】
2006330145.tif 000004
【図３】
2006330145.tif 000005
【図４】
2006330145.tif 000006
【図５】
2006330145.tif 000007
【図６】
2006330145.tif 000008
【図７】
2006330145.tif 000009